(57)【要約】【課題】演奏の目的に合った音響環境をより効果的に実現することができる音響制御装置、及び、当該音響制御装置を適用した電子楽器を提供する。【解決手段】スピーカカバー１５０のカバー閉状態においては、スピーカ１３０から発せられた音は、開放状態のスリット１５４Ｓを介して、電子楽器１００の上方を中心とする周囲に広がる（拡散される）ように放出される。一方、スピーカカバー１５０のカバー開状態においては、スピーカカバー１５０のスリット１５４Ｓが閉塞状態に設定されているため、スピーカ１３０から発せられた音は、スピーカカバー１５０により形成された開口部１４８内で反射、伝搬して、楽器手前側に指向性を有して放出される。【選択図】図６
2019161501.tif 000002
【特許請求の範囲】
【請求項１】
スピーカの放音部に設けられたカバーを有し、
前記スピーカに対する前記カバーの形態を変化させることにより、前記スピーカから発せられる音を、第１の方向に拡散するように放出する第１の状態と、前記第１の方向とは異なる第２の方向に指向性を有して放出する第２の状態と、を切替えることを特徴とする音響制御装置。
【請求項２】
前記スピーカに対する前記カバー全体の角度を変化させるカバー角度制御機構部と、
前記カバーに設けられた貫通孔の大きさを変化させる貫通孔制御機構部と、
を備え、
前記カバー角度制御機構部により前記スピーカから発せられる音の放出方向を変化させるとともに、前記貫通孔制御機構部により前記スピーカから発せられる音の放出量を変化させることによって、前記第１の状態と前記第２の状態と、を切替えることを特徴とする請求項１に記載の音響制御装置。
【請求項３】
前記カバーの角度と前記貫通孔の大きさとを連動して変化させる貫通孔連動機構部を、更に備えることを特徴とする請求項２に記載の音響制御装置。
【請求項４】
前記貫通孔は、前記カバーを閉じた状態で大きく設定され、前記カバーを開くことにより小さくなるように設定されることを特徴とする請求項２又は３に記載の音響制御装置。
【請求項５】
前記カバーは、第１の貫通孔が設けられた第１のカバー部材と、前記第１のカバー部材に対してスライド可能に取り付けられ、第２の貫通孔が設けられた第２のカバー部材と、を有し、
前記カバー角度制御機構部は、前記第１のカバー部材を第１のヒンジ部を支点にして、前記スピーカに対して回動させ、
前記貫通孔制御機構部は、前記第１のカバー部材の回動に応じて、前記第２のカバー部材を前記第１のカバー部材に沿ってスライドさせ、前記カバーを閉じた状態で前記第１の貫通孔と前記第２の貫通孔とが重なって前記貫通孔が大きくなるように設定し、前記カバーを開くことにより前記第１の貫通孔と前記第２の貫通孔との重なりが小さくなって前記貫通孔が小さくなるように設定することを特徴とする請求項４に記載の音響制御装置。
【請求項６】
前記貫通孔は、前記カバーを特定の角度で開いた状態で塞がるように設定されることを特徴とする請求項４又は５に記載の音響制御装置。
【請求項７】
前記カバーの角度と前記スピーカの放音部の方向とを連動して変化させる放音部連動機構部を、更に備えることを特徴とする請求項２乃至６のいずれかに記載の音響制御装置。
【請求項８】
前記カバーに設けられた貫通孔の大きさを変化させる貫通孔制御機構部を備え、
前記貫通孔制御機構部により前記スピーカから発せられる音の放出方向を変化させるとともに、前記音の放出量を変化させることによって、前記第１の状態と前記第２の状態と、を切替えることを特徴とする請求項１に記載の音響制御装置。
【請求項９】
前記カバーは、第１の貫通孔が設けられた第１のカバー部材と、前記第１のカバー部材に対して回転可能に重ね合わされ、第２の貫通孔及び開口部が設けられた第２のカバー部材と、を有し、
前記貫通孔制御機構部は、前記第１のカバー部材と前記第２のカバー部材とを相対的に回転させ、
前記第１の状態で前記第１の貫通孔と前記第２の貫通孔及び前記開口部とが重なって前記貫通孔が大きくなるように設定し、前記第２の状態で前記第１の貫通孔と前記第２の貫通孔とが重ならず、前記第１の貫通孔と前記開口部のみが重なって前記貫通孔が小さくなるように設定することを特徴とする請求項８に記載の音響制御装置。
【請求項１０】
前記スピーカから発せられる音を放出する前記カバーの放音口の方向を変化させる方向制御機構部を備え、
前記方向制御機構部により前記スピーカに対する前記音の放出方向を変化させるとともに、前記音の放出量を変化させることによって、前記第１の状態と前記第２の状態と、を切替えることを特徴とする請求項１に記載の音響制御装置。
【請求項１１】
前記カバーは、屈曲及び伸縮可能な部材からなる蛇腹を有し、
前記方向制御機構部は、前記スピーカに対して前記放音口の方向を任意に変化させ、
前記第１の状態で前記蛇腹を収納して前記放音口に前記スピーカの放音部が露出するように設定し、前記第２の状態で前記蛇腹を展開して前記スピーカの放音部を覆うとともに、前記放音口を任意の方向に向くように設定することを特徴とする請求項１０に記載の音響制御装置。
【請求項１２】
請求項１乃至１１のいずれかに記載の音響制御装置と、
音高を指定する演奏操作子が配列された鍵盤ユニットと、
前記演奏操作子により指定された音高に基づく楽音を発するスピーカと、
を備え、
前記音響制御装置は、前記スピーカから発せられる前記楽音を、第１の方向に拡散するように放出する第１の状態と、前記第１の方向とは異なる第２の方向に指向性を有して放出する第２の状態と、に切替え設定することを特徴とする電子楽器。
【発明の詳細な説明】
【技術分野】
【０００１】
本発明は、音の指向性や音量、音質等の音響特性を制御する音響制御装置、及び、当該音響制御装置を適用した電子楽器に関する。
【背景技術】
【０００２】
電子鍵盤楽器（電子キーボード）や電子管楽器等の電子楽器においては、一般に、筐体の大きさや搭載されるスピーカのサイズによって音質や音の出力の最大値が決定される。そのため、筐体の小さな電子楽器においては、音質や音量（音圧）が制限されることになる。
【０００３】
また、電子鍵盤楽器等に搭載されるスピーカは、一般に、出力される音が周囲に広がる特性を有しているため、例えば広い空間で演奏する際に音が拡散してしまい、聴衆への音量が不足したり音質が低下したりする場合がある。一方、このような電子楽器のスピーカからの音の広がりは、練習時等においては周囲への騒音となることがあるため、スピーカから出力できない場合もある。
【０００４】
特許文献１には、スピーカの放音部に設けられたカバーの開閉によって音の指向性を変化させる技術が記載されている。このような技術によれば、演奏者や聴衆等の特定の方向に向けて十分な音量で音を出力することができる。
【先行技術文献】
【特許文献】
【０００５】
【特許文献１】特表２０１６−５３５９６６号公報
【発明の概要】
【発明が解決しようとする課題】
【０００６】
上述した特許文献１等に記載された技術においては、演奏の目的に応じて音の方向を変化させることはできるが、演奏の目的に合った音響環境をより効果的に実現することが難しかった。
【０００７】
そこで、本発明は、演奏の目的に合った音響環境をより効果的に実現することができる音響制御装置、及び、当該音響制御装置を適用した電子楽器を提供することを目的とする。
【課題を解決するための手段】
【０００８】
本発明に係る音響制御装置は、
スピーカの放音部に設けられたカバーを有し、
前記スピーカに対する前記カバーの形態を変化させることにより、前記スピーカから発せられる音を、第１の方向に拡散するように放出する第１の状態と、前記第１の方向とは異なる第２の方向に指向性を有して放出する第２の状態と、を切替えることを特徴とする。
【発明の効果】
【０００９】
本発明によれば、演奏の目的に合った音響環境をより効果的に実現することができる。
【図面の簡単な説明】
【００１０】
【図１】本発明に係る音響制御装置を適用した電子楽器の第１の実施形態を示す外観図である。
【図２】第１の実施形態に係る電子楽器の要部を示す概略図である。
【図３】第１の実施形態に係る電子楽器に適用されるスピーカカバーを示す断面図である。
【図４】第１の実施形態に適用されるスピーカカバーの組付け図である。
【図５】第１の実施形態に適用されるスピーカカバーの開閉状態を示す断面図である。
【図６】第１の実施形態に係る電子楽器における音響特性を示す概念図である。
【図７】第１の実施形態に係る電子楽器に適用されるスピーカカバーの変形例１を示す要部概略図である。
【図８】第１の実施形態に係る電子楽器に適用されるスピーカカバーの変形例２を示す要部概略図である。
【図９】第１の実施形態に係る電子楽器に適用されるスピーカカバーの変形例３を示す要部概略図である。
【図１０】第１の実施形態に係る電子楽器に適用されるスピーカカバーの変形例４を示す要部概略図である。
【図１１】第２の実施形態に係る電子楽器に適用されるスピーカカバーの一例を示す概略図である。
【図１２】第２の実施形態に適用されるスピーカカバーにおける拡散状態を示す概略図である。
【図１３】第２の実施形態に適用されるスピーカカバーにおける指向性化状態を示す概略図である。
【図１４】第３の実施形態に係る電子楽器に適用されるスピーカカバーの一例を示す概略図である。
【発明を実施するための形態】
【００１１】
以下、本発明に係る音響制御装置及び電子楽器について、実施形態を示して詳しく説明する。
＜第１の実施形態＞
図１は、本発明に係る音響制御装置を適用した電子楽器の第１の実施形態を示す外観図である。ここでは、電子楽器の一例として、電子鍵盤楽器（電子キーボード）を示して説明する。図２は、本実施形態に係る電子楽器の要部を示す概略図である。図３は、本実施形態に係る電子楽器に適用されるスピーカカバーを示す断面図であり、図４は、本実施形態に適用されるスピーカカバーの組付け図である。また、図５は、本実施形態に適用されるスピーカカバーの開閉状態を示す断面図であり、図６は、本実施形態に係る電子楽器における音響特性を示す概念図である。なお、図３、図５、図６においては、説明の都合上、便宜的にスリットの数を図１、図２、図４に示す場合よりも少なく示す。
【００１２】
図１に示すように、第１の実施形態に係る音響制御装置を適用した電子楽器１００は、大別して、本体ケース１１０と、鍵盤ユニット１２０と、スピーカパネル１４０と、センタパネル１６０と、を有している。
【００１３】
本体ケース１１０は、図面左右方向に長い箱型の形状を有し、その一面側に、演奏操作子として音高を指定する白鍵及び黒鍵が配列された周知の鍵盤ユニット１２０と、楽音等を出音するスピーカ１３０が組み込まれたスピーカパネル１４０と、音量調整や音色選択、その他の機能選択等の操作を行うためのスイッチ類１６２や表示パネル１６４が配列されたセンタパネル１６０と、が配置されている。ここで、本明細書においては説明の都合上、図１に示した電子楽器１００において、鍵盤ユニット１２０が配置され、演奏者側となる図面手前側を「楽器手前側」と表記し、スピーカパネル１４０やセンタパネル１６０が配置され、聴衆側となる図面奥側を「楽器奥側」と表記する。
【００１４】
スピーカパネル１４０には、図２、図３に示すように、スピーカ１３０の放音面（又は、放音部）を覆って保護するためのスピーカネット１３２と、スピーカ１３０及びスピーカネット１３２を覆うスピーカカバー１５０と、が設けられている。ここで、スピーカカバー１５０は、例えば図１、図２に示すように、図面上方から見た平面形状が矩形を有するとともに、当該上面に長穴状のスリット１５４Ｓが複数設けられている。
【００１５】
また、スピーカカバー１５０は、スリット１５４Ｓが設けられた上面の楽器手前側に取っ手部１５２を有し、図２（ａ）、（ｂ）に示すように、楽器奥側に設けられたヒンジ部１４２を支点にして、スピーカパネル１４０（又は、本体ケース１１０）に対して回動して、楽器手前側が開閉するように取り付けられている。
【００１６】
具体的には、スピーカカバー１５０は、例えば図３及び図４に示すように、複数のスリット１５４Ｓが所定の間隔で配列されたカバー部材１５４と、カバー部材１５４に対してスライド可能に取り付けられ、カバー部材１５４のスリット１５４Ｓと同様の形状及び配列を有する複数のスリット１５６Ｓが設けられたスリット部材１５６と、を備えている。
【００１７】
カバー部材１５４は、図３（ａ）に示すように、図面右方の楽器奥側の背面部１５４Ｂに設けられたヒンジ部１４２を介してスピーカパネル１４０（又は、本体ケース１１０）に対して回動可能に取り付けられている。また、スリット部材１５６は、図３（ａ）及び図４に示すように、蝶番１４４を介してヒンジとなるシャフト１４６に接続されている。具体的には、蝶番１４４の一方の取付部１４４ａにスリット部材１５６がビス止め固定（図４では図示を省略）され、他方の取付部１４４ｂにシャフト１４６の取付部１４６ａがビス止め固定されている。シャフト１４６は、両端部がスピーカパネル１４０（又は、本体ケース１１０）に回動可能に取り付けられている。すなわち、スリット部材１５６は、蝶番１４４を支点にして回動し、スリット部材１５６及び蝶番１４４は、シャフト１４６を支点にしてスピーカパネル１４０（又は、本体ケース１１０）に対して回動する。
【００１８】
ここで、シャフト１４６は、図３（ａ）に示すように、カバー部材１５４のヒンジ部１４２とは同軸（同一の位置）ではなく、例えばヒンジ部１４２よりも図面上方（カバー部材１５４の上面寄り）の位置に配置されている。また、スリット部材１５６は、図３（ｂ）に示すように、カバー部材１５４の内側に設けられたガイド溝１５４Ｇに沿って図３（ａ）の図面左右方向に移動（スライド）可能に取り付けられている。
【００１９】
上述したようなスピーカカバー１５０において、カバー部材１５４をヒンジ部１４２を支点にして回動させることにより、スピーカカバー１５０の開閉状態が制御され、図２（ａ）や図５（ａ）に示すように、スピーカカバー１５０によりスピーカ１３０の放音面が覆われたカバー閉状態と、図２（ｂ）や図５（ｂ）に示すように、スピーカ１３０の放音面が露出したカバー開状態と、のいずれかに設定される。
【００２０】
具体的には、図２（ａ）や図５（ａ）に示したカバー閉状態において、演奏者（又は、ユーザ）がスピーカカバー１５０の取っ手部１５２を把持して持ち上げることにより、図２（ｂ）や図５（ｂ）に示すように、スピーカカバー１５０がヒンジ部１４２を支点にして回動し（図中、曲線矢印参照）、スピーカカバー１５０の楽器手前側が開いて開口部１４８が形成され、当該開口部１４８内にスピーカ１３０の放音面が露出したカバー開状態に移行する。
【００２１】
ここで、スピーカカバー１５０のカバー閉状態では、図５（ａ）に示すように、カバー部材１５４の各スリット１５４Ｓと、スリット部材１５６の各スリット１５６Ｓとの位置が一致して、スピーカカバー１５０の外側と内側（すなわち、図面上側と下側）とが各スリット１５４Ｓ、１５６Ｓを介して貫通したスリット全開状態に設定される。このカバー閉状態かつスリット開状態において、スピーカ１３０から発音させると、図６（ａ）の点線矢印で示すように、音がスピーカカバー１５０の各スリット１５４Ｓ、１５６Ｓを介して、電子楽器１００の上方に向かって広がる（拡散される）ように放出される（拡散状態）。
【００２２】
一方、スピーカカバー１５０を回動させてカバー開状態に移行させると、図５（ｂ）の点線矢印で示すように、カバー部材１５４とスリット部材１５６とが相対的に逆方向に移動（スライド）して、カバー部材１５４の各スリット１５４Ｓとスリット部材１５６の各スリット１５６Ｓとの位置がずれて塞がり、スピーカカバー１５０の外側と内側とが遮断されたスリット全閉状態に設定される。このカバー開状態かつスリット閉状態において、スピーカ１３０から発音させると、図６（ｂ）の点線矢印で示すように、音がスピーカ１３０の放音面とスピーカカバー１５０の内側との間に形成された開口部１４８の空間内で反射、伝搬して、開口部１４８の図面左方端の放音口を介して、図面左方の楽器手前側に向かって放出される。すなわち、スピーカ１３０から発せられる音が電子楽器１００の演奏者の方向（楽器手前側）に指向性を有して放出される（指向性化状態）。
【００２３】
なお、本実施形態において、上述したスピーカカバー１５０の開閉状態は、例えば図５（ａ）に示すように、図面左方のスピーカカバー１５０の楽器手前側の端部が、図中ＶＡ部に示すように、スピーカパネル１４０（又は、本体ケース１１０）の上面、或いは、図示を省略したストッパーに当接してスピーカカバー１５０の回動が制止された状態を、カバー閉状態として規定している。また、例えば図５（ｂ）に示すように、図面右方のスピーカカバー１５０の楽器奥側の背面部１５４Ｂの端部が、図中ＶＢ部に示すように、スピーカパネル１４０（又は、本体ケース１１０）の背面、或いは、図示を省略したストッパーに当接してスピーカカバー１５０の回動が制止された状態を、カバー開状態として規定している。
【００２４】
また、本実施形態においては、図５（ａ）、（ｂ）に示したように、スピーカカバー１５０のカバー閉状態からカバー開状態への移行に伴って、カバー部材１５４が相対的に図面右方にスライドするとともに、スリット部材１５６が相対的に図面左方にスライドして、各スリット１５４Ｓ、１５６Ｓが塞がりスリット閉状態に設定される。ここで、スピーカカバー１５０の開閉時におけるカバー部材１５４とスリット部材１５６の相対的なスライド方向は上述した場合に限定されない。すなわち、カバー部材１５４の形状や寸法、回動支点となるヒンジ部１４２の配置、スリット部材１５６と蝶番１４４とシャフト１４６との組付け寸法、回動支点となるシャフト１４６の配置等の設計条件によっては、スピーカカバー１５０の開閉時におけるカバー部材１５４とスリット部材１５６との相対的なスライド方向が、図５（ｂ）に示した点線矢印とは逆方向になるものであってもよい。要するに、スリット開状態であるスピーカカバー１５０を、カバー閉状態からカバー開状態に移行することにより、カバー部材１５４とスリット部材１５６とが相対的にスライドして、スリット閉状態に移行するように設計されているものであれば、本発明に良好に適用することができる。
【００２５】
また、本実施形態においては、図３、図５に示すように、カバー部材１５４とスリット部材１５６との間に、両者の密着性を向上させるためのクッション材１５８が設けられている。ここで、クッション材１５８には、ラバーシート等を適用することができ、カバー部材１５４に設けられたスリット１５４Ｓと同一の形状及び配列を有する複数のスリットが設けられている。すなわち、スピーカカバー１５０のカバー閉状態においては、図５（ａ）に示したように、カバー部材１５４のスリット１５４Ｓ及びクッション材１５８のスリットと、スリット部材１５６のスリット１５６Ｓとの位置が一致して、スピーカカバー１５０の外側と内側とが貫通し、図６（ａ）に示したように、スピーカ１３０から発せられた音がこれらのスリットを介して放出される。
【００２６】
一方、スピーカカバー１５０のカバー開状態においては、図５（ｂ）に示したように、カバー部材１５４のスリット１５４Ｓ及びクッション材１５８のスリットと、スリット部材１５６のスリット１５６Ｓとの位置がずれて塞がり、スピーカカバー１５０の外側と内側とが遮断される。このとき、カバー部材１５４とスリット部材１５６とがクッション材１５８を介して密着し、図６（ｂ）に示したように、スピーカ１３０から発せられた音がスピーカカバー１５０の開口部１４８内で反射、伝搬して（また、一部は開口部１４８を介して直接）楽器手前側に放出される。なお、本実施形態に示したクッション材１５８に替えて、カバー部材１５４とスリット部材１５６とが接する面（例えばカバー部材１５４の内側の面やスリット部材１５６の摺動面）に、クッション材１５８と同等の密着性を有する表面処理（例えばコーティング剤の塗布等）を施すものであってもよい。
【００２７】
このように、本実施形態においては、スピーカカバー１５０がカバー閉状態では、開放状態のスリットを介して音を放出することにより、電子楽器１００の上方を中心とする周囲に広がる（拡散される）音の放出量を適切に設定することができる（拡散状態）。また、スピーカカバー１５０がカバー開状態では、スリットが閉塞状態のスピーカカバー１５０の開口部１４８から音を放出することにより、演奏者がいる方向に指向性を有しつつ十分な音量や音質を有する音を設定することができる（指向性化状態）。したがって、これら２つの状態を、簡易な構造を有するスピーカカバー１５０の開閉操作により簡易かつ任意に切替え設定して音響特性を制御し、演奏の目的に合った音響環境をより効果的に実現することができる。また、電子楽器１００の筐体の小型化に伴ってスピーカ１３０を小型化した場合であっても、音響特性を十分に維持、又は、向上させることができる。
【００２８】
＜変形例＞
次に、上述した第１の実施形態における変形例について、図面を参照して説明する。
（変形例１）
図７は、本実施形態に係る電子楽器に適用されるスピーカカバーの変形例１を示す要部概略図である。ここで、上述した実施形態と同等の構成については、同一の符号を付して説明を簡略化する。なお、以下の変形例及び他の実施形態においても同様とする。
【００２９】
上述した第１の実施形態においては、スピーカカバー１５０の開閉状態として、図５（ａ）、（ｂ）に示したように、スピーカカバー１５０の楽器手前側及び楽器奥側の端部がスピーカパネル１４０（又は、本体ケース１１０）に当接してスピーカカバー１５０の回動が制止された状態を、それぞれカバー閉状態及びカバー開状態として規定した。本実施形態の変形例１においては、スピーカカバー１５０を回動させた際に、スリットが閉塞状態となる特定の回動位置（開閉角度）でスピーカカバー１５０を制止させてカバー開状態を規定する形態を有している。
【００３０】
本実施形態の変形例１は、具体的には、例えば図７（ａ）、（ｄ）及び図７（ｂ）、（ｅ）に示すように、スピーカカバー１５０の回動支点となるヒンジ部１４２に取り付けられたカバー部材１５４の取付部１５４Ｔ、及び、ヒンジ部１４２周辺のスピーカパネル１４０（又は、本体ケース１１０）のそれぞれに、相互に係合する凹部２１２、２１４及び凸部２０２、２０４を有している。ここで、カバー部材１５４の取付部１５４Ｔに設けられた凹部２１２、２１４は、スピーカカバー１５０の開閉に伴ってヒンジ部１４２を支点として回動する。また、凹部２１２、２１４に係合する凸部２０２、２０４は、スピーカパネル１４０（又は、本体ケース１１０）の特定の位置に固定的に設けられている。
【００３１】
上述したようなスピーカカバー１５０において、ヒンジ部１４２を支点にしてスピーカカバー１５０を回動させることにより、図５（ｂ）及び図７（ｃ）、（ｆ）に示すように、スピーカカバー１５０のスリットが閉塞状態となる特定の回動位置で、取付部１５４Ｔに設けられた凹部２１２、２１４がスピーカパネル１４０（又は、本体ケース１１０）に設けられた凸部２０２、２０４に係合する。このとき、凹部２１２、２１４と凸部２０２、２０４との係合に伴ってスピーカカバー１５０の回動に対して抵抗が生じてスピーカカバー１５０の回動が制止されてカバー開状態が規定されるとともに、スリットが閉塞状態に設定される。これにより、スピーカ１３０から発せられた音は、上述した実施形態と同様に、特定の回動位置で制止されてカバー開状態に設定されたスピーカカバー１５０により形成された開口部１４８内で反射、伝搬して、楽器手前側に指向性を有して放出される。
【００３２】
このように、本変形例においては、上述した第１の実施形態に示したスピーカカバー１５０が開放状態となる回動位置（すなわち、図５（ｂ）に示したスピーカカバー１５０の背面部１５４Ｂの端部がスピーカパネル１４０に当接した状態）に限らず、ヒンジ部１４２周辺に設けた凹部及び凸部の係合により、任意の回動位置（開閉角度）でスピーカカバー１５０のカバー開状態及びスリット閉状態を設定することができる。また、本変形例によれば、凹部２１２、２１４と凸部２０２、２０４との係合に伴って生じる抵抗が、スピーカカバー１５０を回動させる際に演奏者にクリック感やクリック音として伝達されるので、スピーカカバー１５０のカバー開状態を感覚的に（触覚や聴覚を通じて）認識することができる。
【００３３】
また、本変形例の他の形態として、上述した変形例１において、任意の複数の回動位置（開閉角度）でスピーカカバー１５０を制止させてカバー開状態を規定するものであってもよい。具体的には、例えば図７（ｇ）に示すように、ヒンジ部１４２に取り付けられたカバー部材１５４の取付部１５４Ｔに、スピーカカバー１５０のスリットが開放状態となる複数の回動位置に対応する角度ごとに複数の凹部２１６が設けられている。各角度の凹部２１６は、スピーカカバー１５０の開閉に伴ってヒンジ部１４２を支点として回動する。また、ヒンジ部１４２周辺のスピーカパネル１４０（又は、本体ケース１１０）に、取付部１５４Ｔの各凹部２１６に係合する単一の凸部２０６が固定的に設けられている。ここで、スピーカカバー１５０の回動が制止されてカバー開状態となる各回動位置においては、スピーカカバー１５０のスリットが閉塞状態となるように、カバー部材１５４とスリット部材１５６のスリット１５４Ｓ、１５６Ｓの形状や配列が設定されている。
【００３４】
このようなスピーカカバー１５０において、ヒンジ部１４２を支点にしてスピーカカバー１５０を回動させることにより、図７（ｈ）、(ｉ)に示すように、特定の回動位置ごとに、取付部１５４Ｔに設けられた各角度の凹部２１６がスピーカパネル１４０（又は、本体ケース１１０）に設けられた凸部２０６に係合する。このとき、各回動位置でスピーカカバー１５０の回動が制止されてカバー開状態が複数の開閉角度で規定されるとともに、スリットが閉塞状態に設定される。
【００３５】
このように、本変形例の他の形態においては、スピーカカバー１５０のカバー開状態を複数の回動位置（開閉角度）で設定することができるので、スピーカカバー１５０により形成される開口部１４８の空間の大きさを変化させて、スピーカ１３０から発せられた音の指向性や音量、音質等の音響特性を簡易かつ任意に調整し、演奏の目的に合った音響環境をより効果的に実現することができる。
【００３６】
（変形例２）
図８は、本実施形態に係る電子楽器に適用されるスピーカカバーの変形例２を示す要部概略図である。
【００３７】
上述した第１の実施形態においては、図１〜図６に示したように、演奏者側となる楽器手前側に開口部１４８が形成されるようにスピーカカバー１５０が開閉する形態を示した。本実施形態の変形例２においては、聴衆側に開口部が形成されるようにスピーカカバー１５０が開閉する形態を有している。
【００３８】
本実施形態の変形例２は、具体的には、例えば図８（ａ）、（ｂ）に示すように、スピーカカバー１５０が楽器手前側に設けられたヒンジ部１４２を支点にして回動して、聴衆側となる楽器奥側が開閉するように取り付けられている。また、本変形例の他の形態として、例えば図８（ｃ）、（ｄ）に示すように、スピーカカバー１５０が本体ケース１１０の長手方向（楽器手前側から見て左右いずれかの方向）に開閉するように取り付けられている。ここで、本変形例に適用されるスピーカカバー１５０は、上述した第１の実施形態や変形例１に示した機構をそのまま用い、スピーカパネル１４０（又は、本体ケース１１０）に取り付ける向き（すなわち、スピーカカバー１５０の開閉により開口部１４８が形成される方向）を変更することにより実現することができる。このように、本変形例においては、演奏者から見て楽器奥側や左右方向にいる聴衆に向かって指向性を有しつつ十分な音量や音質を有する音を設定することができる。
【００３９】
（変形例３）
図９は、本実施形態に係る電子楽器に適用されるスピーカカバーの変形例３を示す要部概略図である。ここでは、説明を簡略化するために、本変形例に適用されるカバー部材１５４、及び、スピーカ１３０が搭載されたスピーカ搭載部１３４のみを示し、第１の実施形態に示されたスリット部材１５６や蝶番１４４、シャフト１４６等の周辺の部品の表示を省略する。
【００４０】
上述した第１の実施形態及びその変形例においては、図３、図５に示したように、スピーカ１３０の放音面が電子楽器１００の上方を向くように、スピーカ１３０がスピーカパネル１４０（又は、本体ケース１１０）に固定的に組み込まれた形態を示した。本実施形態の変形例３においては、スピーカカバー１５０の開閉状態に連動してスピーカ１３０の放音面（又は、放音部の方向）が向いている角度が変化する形態を有している。
【００４１】
本実施形態の変形例３は、具体的には、例えば図９に示すように、スピーカ１３０が搭載され、楽器手前側に設けられたヒンジ部１３６を支点にしてスピーカパネル１４０（又は、本体ケース１１０）に対して回動可能に取り付けられたスピーカ搭載部１３４を有している。スピーカ搭載部１３４の楽器奥側には、本体ケース１１０の短手方向（楽器手前側から見て前後方向）に延在する長穴を有するスライド係合部１３８が設けられ、カバー部材１５４から突出するカバー係合部１５４Ｆがスライド可能な状態で係合している。ここで、カバー部材１５４をヒンジ部１４２を支点にして回動させることにより、カバー係合部１５４Ｆがスライド係合部１３８の長穴をスライドしながらスピーカ搭載部１３４の楽器奥側を引き上げて、スピーカ搭載部１３４がヒンジ部１３６を支点にして回動する。
【００４２】
上述したようなスピーカカバー１５０のカバー閉状態においては、図９（ａ）、（ｂ）に示すように、カバー部材１５４のカバー係合部１５４Ｆがスピーカ搭載部１３４に設けられたスライド係合部１３８の長穴の楽器手前側の端部（図９（ｂ）の左方端）に係合した状態になる。これにより、スピーカ搭載部１３４は、電子楽器１００（又は、スピーカパネル１４０）の上面に略平行になり、スピーカ１３０の放音面が電子楽器１００の上方に向いた状態に設定される。このカバー閉状態では、上述したように、スリット開状態に設定されているので、スピーカ１３０の放音面から発せられた音は開放状態のスリット１５４Ｓを介して電子楽器１００の上方に向かって放出される。
【００４３】
一方、図９（ｃ）、（ｄ）に示すように、スピーカカバー１５０回動させてカバー開状態に移行させると（図９（ｄ）の曲線矢印）、カバー部材１５４のカバー係合部１５４Ｆがスピーカ搭載部１３４に設けられたスライド係合部１３８の長穴を、楽器奥側の端部（図９（ｄ）の右方端）に向かってスライドしながらスピーカ搭載部１３４の楽器奥側を引き上げて、スピーカ搭載部１３４をヒンジ部１３６を支点にして回動させる。これにより、スピーカ搭載部１３４が電子楽器１００（又は、スピーカパネル１４０）の上面に対して傾斜した状態に変化して、スピーカ１３０の放音面がスピーカカバー１５０により形成された開口部１４８内で楽器手前側に向いた状態に設定される。このカバー開状態では、上述したように、スリット閉状態に設定されているので、スピーカ１３０の放音面から発せられた音は開口部１４８内で反射、伝搬して、或いは、開口部１４８を介して直接、楽器手前側に指向性を有して放出される。
【００４４】
このように、本変形例においては、スピーカカバー１５０の開閉状態に連動してスピーカ１３０の放音面が開口部１４８の放音口の方向に傾斜することにより、スピーカ１３０から発せられた音が高い指向性や十分な音量や音質を有して放出されて、優れた音響特性を実現することができる。
【００４５】
なお、上述した第１の実施形態及びその変形例においては、スピーカカバー１５０の回動に伴って、カバー部材１５４に対してスリット部材１５６が相対的にスライドしてスリット１５４Ｓが開閉する形態を示した。ここで、スリット部材１５６が蝶番１４４を介してシャフト１４６に取り付けられた形態を示したが、本発明はこれに限定されるものではない。例えば図１０（ａ）に示すように、スリット部材２２２として、可撓性や弾性を有する薄板状の樹脂部材や金属部材を適用し、その一端側に上述したスリット部材１５６と同様の形状及び配列を有するスリット２２２Ｓを設け、他端側をスピーカパネル１４０（又は本体ケース１１０）にビス止め固定したものであってもよい。この場合においても、図１０（ａ）、（ｂ）に示すように、上述した実施形態と同様に、スピーカカバー１５０の開閉状態に応じて、スリット１５４Ｓの開閉状態が設定されて、スピーカ１３０から発せられる音の音響特性を制御することができる。ここで、図１０は、本実施形態に係る電子楽器に適用されるスピーカカバーの変形例４を示す要部概略図である。また、スピーカカバー１５０の回動に伴って、カバー部材１５４に対してスリット部材１５６が自動的にスライドしてスリット１５４Ｓが開閉する形態に限定されるものではなく、演奏者（又は、ユーザ）がスピーカカバー１５０の開閉操作時に、スリット１５４Ｓの開閉状態を手動で設定するものであってもよい。
【００４６】
また、上述した第１の実施形態及びその変形例においては、スピーカカバー１５０のカバー閉状態において、スピーカカバー１５０の上面に設けられたスリット１５４Ｓが開放状態になるように設定された形態を示したが、本発明はこれに限定されるものではない。例えば図３に示したスピーカカバー１５０のカバー部材１５４において、上面側のスリット１５４Ｓに加え、ヒンジ部１４２が設けられた背面部１５４Ｂ側にも複数のスリットを設けたものであってもよい。これにより、スピーカカバー１５０の開閉状態に応じて、スピーカカバーの上面及び背面部１５４Ｂに設けられたスリットの開閉状態が設定されて、カバー閉状態ではスピーカ１３０から発せられた音をスリットを介して電子楽器１００の上方、及び、聴衆側となる楽器奥側に同時に放出することができる。
【００４７】
また、上述した第１の実施形態及びその変形例においては、スピーカカバー１５０がカバー閉状態のときスリット開状態に設定され、一方、カバー開状態のときスリット閉状態に設定され、これらの２つの状態のいずれかに設定される形態を示したが、本発明はこれに限定されるものではない。例えばスピーカカバー１５０の回動位置（開閉角度）に応じて、スリット１５４Ｓの開放状態（開放比率）を、例えば半開させるような特定の状態に設定したり、１００％→６０％→３０％→０％のように段階的に変化するように設定したり、或いは、連続的に変化させたりするものであってもよい。これにより、スピーカカバー１５０のカバー開状態において、開口部１４８が形成された方向に指向性を設定しつつ、特定の比率で開放されたスリット１５４Ｓを介して、電子楽器１００の上方を中心とする周囲や、開口部とは逆方向に音を放出することができ、多様な音響環境を実現することができる。
【００４８】
＜第２の実施形態＞
次に、本発明に係る音響制御装置及び電子楽器の第２の実施形態について図面を参照して説明する。
図１１は、第２の実施形態に係る電子楽器に適用されるスピーカカバーの一例を示す概略図である。また、図１２は、本実施形態に適用されるスピーカカバーにおける拡散状態を示す概略図であり、図１３は、本実施形態に適用されるスピーカカバーにおける指向性化状態を示す概略図である。
【００４９】
上述した第１の実施形態及びその変形例においては、楽器手前側や楽器奥側等の、予め設定された特定の一方向に開口部１４８が形成されて指向性を有するようにスピーカカバー１５０が開閉する形態を示した。第２の実施形態においては、単一のスピーカカバー１５０により、任意の方向に指向性を設定することができる形態を有している。
【００５０】
第２の実施形態に係る電子楽器１００は、例えば図１１（ａ）に示すように、スピーカパネル１４０に組み込まれたスピーカ１３０の上方に、球面の一部の領域を切り出したドーム形状（又は、半球状）の突出部を有するスピーカカバー１７０が設けられている。スピーカカバー１７０は、例えば図１１（ａ）、（ｂ）に示すように、上側カバー部材１７４と下側カバー部材１７６とを有し、下側カバー部材１７６が上側カバー部材１７４のドーム形状の内側に回転可能な状態で重ね合わされるとともに、スピーカパネル１４０の上面に対して回転可能な状態で取り付けられている。すなわち、上側カバー部材１７４と下側カバー部材１７６とはそれぞれドーム形状の外周に沿って回転し、上側カバー部材１７４及び下側カバー部材１７６からなるスピーカカバー１７０全体が、スピーカパネル１４０に対してドーム形状の外周に沿って回転するように形成されている（図中、両矢印参照）。
【００５１】
上側カバー部材１７４には、ドーム形状の突出部の頂点付近から外周方向に向かって放射状に、ドーム形状の外曲面に沿って長穴状のスリット１７４Ｓが複数設けられている。また、下側カバー部材１７６には、ドーム形状の突出部の曲面の所定の領域（図では突出部の略半分の領域）に開口部１７６Ｈが設けられているとともに、それ以外の領域には上側カバー部材１７４のスリット１７４Ｓと同様の形状及び配列を有する複数のスリット１７６Ｓが設けられている。また、上側カバー部材１７４及び下側カバー部材１７６の外周部分には、それぞれ上側カバー部材１７４及び下側カバー部材１７６を任意の方向に回転させる際に演奏者（又は、ユーザ）が把持するつまみ部１７２Ａ、１７２Ｂが設けられている。これらのつまみ部１７２Ａ、１７２Ｂは、それぞれ上側カバー部材１７４及び下側カバー部材１７６に設けられるスリット１７４Ｓ、１７６Ｓに対して特定の位置関係になるように設定されている。
【００５２】
上述したようなスピーカカバー１７０において、重ね合わされた上側カバー部材１７４及び下側カバー部材１７６を相対的に回転させることによりスリットの開閉状態が制御される。すなわち、スピーカカバー１７０の回転操作により、図１２に示すように、スピーカ１３０の放音面（又は、放音部）を覆うスピーカカバー１７０の全てのスリット１７４Ｓが開放状態に設定された拡散状態と、図１３に示すように、スピーカカバー１５０の開口部１７６Ｈに重なる位置のスリット１７４Ｓのみが開放状態に設定された指向性化状態と、のいずれかに設定される。
【００５３】
具体的には、上側カバー部材１７４及び下側カバー部材１７６が重ね合わされた状態で、演奏者（又は、ユーザ）が各つまみ部１７２Ａ、１７２Ｂを把持してスピーカカバー１７０の外周に沿って相対的に回転させて、図１２（ａ）、（ｂ）に示すように、上側カバー部材１７４のスリット１７４Ｓを下側カバー部材１７６のスリット１７６Ｓの位置に重なるように一致させることにより、スピーカカバー１７０が拡散状態に設定される。
【００５４】
この拡散状態においては、上側カバー部材１７４の全てのスリット１７４Ｓが下側カバー部材１７６のスリット１７６Ｓと位置が一致、又は、開口部１７６Ｈと位置が重なって、スピーカカバー１７０の外側と内側のカバー内空間１７８とが各スリット１７４Ｓを介して貫通したスリット全開状態に設定される。この拡散状態（スリット全開状態）において、スピーカ１３０から発音させると、図１２（ｃ）の矢印で示すように、音がスピーカカバー１７０の各スリット１７４Ｓを介して、電子楽器１００の上方を中心とする周囲に広がる（拡散される）ように放出される。
【００５５】
一方、上側カバー部材１７４及び下側カバー部材１７６を相対的に回転させて、図１３（ａ）、（ｂ）に示すように、上側カバー部材１７４のスリット１７４Ｓを下側カバー部材１７６のスリット１７６Ｓの位置に重ならないようにすることにより、スピーカカバー１７０が指向性化状態に設定される。
【００５６】
この指向性化状態においては、上側カバー部材１７４のスリット１７４Ｓのうち、下側カバー部材１７６の開口部１７６Ｈと位置が重なるスリット１７４Ｓのみが貫通し、それ以外のスリット１７４Ｓはスリット１７６Ｓの位置がずれて塞がった一部スリット開状態に設定される。この指向性化状態（一部スリット開状態）において、スピーカ１３０から発音させると、図１３（ｃ）の矢印で示すように、音がスリット１７４Ｓが塞がれたカバー内空間１７８で反射、伝搬して、下側カバー部材１７６の開口部１７６Ｈと位置が重なる各スリット１７４Ｓのみを介して、図面左方の電子楽器１００の演奏者の方向（楽器手前側）に指向性を有して放出される。
【００５７】
また、この指向性化状態において、上側カバー部材１７４と下側カバー部材１７６とが重ね合わされたスピーカカバー１５０全体を、スピーカパネル１４０（又は、本体ケース１１０）に対して任意の方向に回転させることにより、図１１（ａ）に示した演奏者側となる楽器手前側だけでなく、聴衆側となる楽器奥側や左右方向等の、電子楽器１００の全周における任意の方向に指向性が設定される。
【００５８】
このように、本実施形態においては、スピーカカバー１５０のドーム形状の突出部に設けられた全てのスリット１７４Ｓを介して、電子楽器１００の上方を中心とする周囲に広がる（拡散される）ように音を放出する拡散状態（スリット全開状態）と、開口部１７６Ｈと位置が重なるスリット１７４Ｓのみを介して、特定の方向に音を放出する指向性化状態（一部スリット開状態）と、を上側カバー部材１７４及び下側カバー部材１７６の回転操作により簡易かつ任意に設定して音響特性を制御し、演奏の目的に合った音響環境をより効果的に実現することができる。また、スピーカカバー１５０全体をスピーカパネル１４０に対して回転させることにより、開口部１７６Ｈが向いた任意の方向に指向性を設定することができる。
【００５９】
＜第３の実施形態＞
次に、本発明に係る音響制御装置及び電子楽器の第３の実施形態について図面を参照して説明する。
図１４は、本実施形態に係る電子楽器に適用されるスピーカカバーの一例を示す概略図である。ここでは、説明を簡略化するために、本実施形態に適用されるスピーカカバー１８０とスピーカ１３０のみを示し、上述した各実施形態に示された本体ケース１１０やスピーカパネル１４０等の周辺の部品の表示を省略する。
【００６０】
上述した各実施形態及び変形例においては、スピーカカバー１５０を拡散状態又は指向性化状態に設定するための手段として、スピーカ１３０の上方に各状態に応じて開閉するスリットを設けた形態を示した。第３の実施形態においては、スピーカカバー１５０にスリットを用いることなく、上記の各状態に設定することができる形態を有している。
【００６１】
第３の実施形態に係る電子楽器１００は、例えば図１４に示すように、スピーカ１３０の上方に、ヒンジにより蛇腹が伸縮する機構を有するスピーカカバー１８０が設けられている。スピーカカバー１８０は、例えば図１４（ａ）、（ｃ）に示すように、スピーカパネル１４０に取り付けられるパネル取付部１８４と、パネル取付部１８４に対してヒンジ部１８８及び蛇腹１８６を介して取り付けられるカバーフレーム（放音口）１８２と、を有している。ここで、パネル取付部１８４とカバーフレーム１８２とは同等の角形のフレームを有し、パネル取付部１８４及びカバーフレーム１８２の特定の一辺側に共通に設けられたヒンジ部１８８を支点にして回動する。このとき、パネル取付部１８４及びカバーフレーム１８２の他の三辺に取り付けられた蛇腹１８６が、ヒンジ部１８８を支点とするカバーフレーム１８２の回動に伴って伸縮する。
【００６２】
上述したようなスピーカカバー１８０において、カバーフレーム１８２をヒンジ部１８８を支点にして回動させることにより蛇腹１８６の展開状態が制御される。すなわち、スピーカカバー１８０の開閉操作により、図１４（ａ）、（ｂ）に示すように、蛇腹１８６が収納されて、スピーカ１３０の放音面が露出したカバー閉状態と、図１４（ｃ）、（ｄ）に示すように、蛇腹１８６が展開されて、スピーカカバー１８０によりスピーカ１３０の放音面が覆われたカバー開状態と、のいずれかに設定される。
【００６３】
具体的には、図１４（ａ）に示すように、蛇腹１８６を折り畳んで収納し、カバーフレーム１８２をパネル取付部１８４に重ね合わせて密着させることにより、カバー閉状態に設定され、スピーカ１３０の放音面が電子楽器１００（又は、スピーカパネル１４０）の上方に向けて露出した状態に設定される。
【００６４】
このカバー閉状態において、スピーカ１３０から発音させると、図１４（ｂ）の矢印で示すように、音がパネル取付部１８４及びカバーフレーム１８２を介して、電子楽器１００の上方を中心とする周囲に広がる（拡散される）ように放出される。
【００６５】
一方、図１４（ｃ）に示すように、カバーフレーム１８２をヒンジ部１８８を支点として回動させて、蛇腹１８６を引き伸ばして展開させることにより、カバー開状態に設定され、スピーカ１３０の放音面が蛇腹１８６により形成された開口部１９０により覆われた状態に設定される。
【００６６】
このカバー閉状態において、スピーカ１３０から発音させると、図１４（ｄ）の矢印で示すように、音が蛇腹１８６による開口部１９０内で反射、伝搬して、図面左方のカバーフレーム１８２を介して、例えば電子楽器１００の演奏者の方向（楽器手前側）に指向性を有して放出される。
【００６７】
このように、本実施形態においては、スピーカ１３０の放音面が露出するカバーフレーム１８２を介して、電子楽器１００の上方を中心とする周囲に広がる（拡散される）ように音を放出する拡散状態と、展開された蛇腹１８６により形成された開口部１９０を介して、特定の方向に音を放出する指向性化状態と、をスピーカカバー１８０の開閉操作により簡易かつ任意に設定して音響特性を制御し、演奏の目的に合った音響環境をより効果的に実現することができる。また、電子楽器１００の筐体の小型化に伴ってスピーカ１３０を小型化した場合であっても、音響特性を十分に維持、又は、向上させることができる。
【００６８】
なお、本実施形態においては、スピーカカバー１８０のカバーフレーム１８２が、ヒンジ部１８８及び蛇腹１８６を介してパネル取付部１８４に取り付けられるとともに、パネル取付部１８４がスピーカパネル１４０に固定的に取り付けられ、ヒンジ部１８８により規定される方向に回動する形態について説明したが、本発明はこれに限定されるものではない。例えばスピーカカバー１８０全体をスピーカパネル１４０（又は、本体ケース１１０）の上面に対して回転させる機構を介して取り付けるものであってもよい。これにより、スピーカ１３０を小型化した場合であっても、電子楽器１００の全周における任意の方向にカバーフレーム１８２を回転させて、任意の方向に指向性を有しつつ十分な音量や音質を有する音を設定して、簡易な操作により演奏の目的に合った音響環境をより効果的に実現することができる。
【００６９】
また、本実施形態に示したヒンジ部１８８を用いることなく、蛇腹１８６のみを介してカバーフレーム１８２をパネル取付部１８４に取り付けた形態を適用することにより、蛇腹１８６を電子楽器１００の全周における任意の方向に屈曲させながら引き伸ばして、カバーフレーム１８２を任意の方向に向けて、指向性を設定するものであってもよい。
【００７０】
なお、上述した第２、第３の実施形態においては、スピーカカバーとして、ドーム形状の外観や蛇腹を備え、電子楽器１００の全周における任意の方向に指向性を設定する形態について説明したが、本発明はこれに限定されるものではない。例えば、上述した第１の実施形態に示したカバー部材１５４にスリット部材１５６を組付けた形態の技術思想を応用して、電子楽器１００の全周における複数の方向に指向性を設定するものであってもよい。
【００７１】
具体的には、例えば、カバー部材にスリット部材が組付けられたスピーカカバーにおいて、楽器奥側と楽器手前側との両方に着脱可能なヒンジ部を設け、いずれか一方のヒンジ部を支点としてカバー部材を回動させることにより、演奏者側である楽器手前側に開口部が形成される第１の指向性化状態と、聴衆側である楽器奥側に開口部が形成される第２の指向性化状態とのいずれかの状態を設定するものであってもよい。ここで、第１又は第２の指向性化状態のいずれにおいても、上述した第１の実施形態と同様に、スピーカカバー１５０の開閉状態に応じて、スリットの開閉状態が設定される（すなわち、カバー閉状態でスリット開状態に設定され、カバー開状態でスリット閉状態に設定される）。このような形態において、スピーカカバーの回動方向を２つのヒンジ部間で切替えることにより、単一のスピーカカバーで例えば演奏者側又は聴衆側のいずれかに指向性を設定することができる。
【００７２】
また、例えば、スピーカ１３０の上方を楽器手前側と奥側の２つの領域に分け、各領域に第１の実施形態と同等の機構を有し、開口部が形成される方向が異なるスピーカカバーを設けたものであってもよい。すなわち、スピーカ１３０の上方の楽器手前側には、カバー部材を回動させることにより、楽器手前側に開口部が形成されて指向性が設定される第１のスピーカカバーを設け、スピーカ１３０の上方の楽器奥側には、カバー部材を回動させることにより、楽器奥側に開口部が形成されて指向性が設定される第２のスピーカカバーを設ける。このような形態において、２つのスピーカカバーを回動させてカバー開状態に設定することにより、演奏者側及び聴衆側の両方向に指向性を設定して、スピーカ１３０から発せられた音を同時に放出することができる。
【００７３】
なお、上述した各実施形態及び変形例においては、スピーカカバーに長穴状のスリットを設けた形態を示したが、本発明はこれに限定されるものではない。すなわち、スピーカカバーの開閉状態や回転状態に応じて、スリットが開放状態に設定されてスピーカからの音が拡散されたり、スリットが閉塞状態に設定されて音が特定方向に放出されたりするように、スリットの開閉状態が設定されるものであれば、多角形や円形、楕円形等、任意の形状や配列に設定されているものであってもよい。
【００７４】
以上、本発明のいくつかの実施形態について説明したが、本発明は、上述した実施形態に限定されるものではなく、実行可能な範囲で上記複数の実施形態の各構成を組合せしてなしたものを含み、また特許請求の範囲に記載された発明とその均等の範囲を含むものである。
以下に、本願出願の当初の特許請求の範囲に記載された発明を付記する。
【００７５】
（付記）
［１］
スピーカの放音部に設けられたカバーを有し、
前記スピーカに対する前記カバーの形態を変化させることにより、前記スピーカから発せられる音を、第１の方向に拡散するように放出する第１の状態と、前記第１の方向とは異なる第２の方向に指向性を有して放出する第２の状態と、を切替えることを特徴とする音響制御装置。
【００７６】
［２］
前記スピーカに対する前記カバー全体の角度を変化させるカバー角度制御機構部と、
前記カバーに設けられた貫通孔の大きさを変化させる貫通孔制御機構部と、
を備え、
前記カバー角度制御機構部により前記スピーカから発せられる音の放出方向を変化させるとともに、前記貫通孔制御機構部により前記スピーカから発せられる音の放出量を変化させることによって、前記第１の状態と前記第２の状態と、を切替えることを特徴とする［１］に記載の音響制御装置。
【００７７】
［３］
前記カバーの角度と前記貫通孔の大きさとを連動して変化させる貫通孔連動機構部を、更に備えることを特徴とする［２］に記載の音響制御装置。
【００７８】
［４］
前記貫通孔は、前記カバーを閉じた状態で大きく設定され、前記カバーを開くことにより小さくなるように設定されることを特徴とする［２］又は［３］に記載の音響制御装置。
【００７９】
［５］
前記カバーは、第１の貫通孔が設けられた第１のカバー部材と、前記第１のカバー部材に対してスライド可能に取り付けられ、第２の貫通孔が設けられた第２のカバー部材と、を有し、
前記カバー角度制御機構部は、前記第１のカバー部材を第１のヒンジ部を支点にして、前記スピーカに対して回動させ、
前記貫通孔制御機構部は、前記第１のカバー部材の回動に応じて、前記第２のカバー部材を前記第１のカバー部材に沿ってスライドさせ、前記カバーを閉じた状態で前記第１の貫通孔と前記第２の貫通孔とが重なって前記貫通孔が大きくなるように設定し、前記カバーを開くことにより前記第１の貫通孔と前記第２の貫通孔との重なりが小さくなって前記貫通孔が小さくなるように設定することを特徴とする［４］に記載の音響制御装置。
【００８０】
［６］
前記貫通孔は、前記カバーを特定の角度で開いた状態で塞がるように設定されることを特徴とする［４］又は［５］に記載の音響制御装置。
【００８１】
［７］
前記カバーの角度と前記スピーカの放音部の方向とを連動して変化させる放音部連動機構部を、更に備えることを特徴とする［２］乃至［６］のいずれかに記載の音響制御装置。
【００８２】
［８］
前記カバーに設けられた貫通孔の大きさを変化させる貫通孔制御機構部を備え、
前記貫通孔制御機構部により前記スピーカから発せられる音の放出方向を変化させるとともに、前記音の放出量を変化させることによって、前記第１の状態と前記第２の状態と、を切替えることを特徴とする［１］に記載の音響制御装置。
【００８３】
［９］
前記カバーは、第１の貫通孔が設けられた第１のカバー部材と、前記第１のカバー部材に対して回転可能に重ね合わされ、第２の貫通孔及び開口部が設けられた第２のカバー部材と、を有し、
前記貫通孔制御機構部は、前記第１のカバー部材と前記第２のカバー部材とを相対的に回転させ、
前記第１の状態で前記第１の貫通孔と前記第２の貫通孔及び前記開口部とが重なって前記貫通孔が大きくなるように設定し、前記第２の状態で前記第１の貫通孔と前記第２の貫通孔とが重ならず、前記第１の貫通孔と前記開口部のみが重なって前記貫通孔が小さくなるように設定することを特徴とする［８］に記載の音響制御装置。
【００８４】
［１０］
前記スピーカから発せられる音を放出する前記カバーの放音口の方向を変化させる方向制御機構部を備え、
前記方向制御機構部により前記スピーカに対する前記音の放出方向を変化させるとともに、前記音の放出量を変化させることによって、前記第１の状態と前記第２の状態と、を切替えることを特徴とする［１］に記載の音響制御装置。
【００８５】
［１１］
前記カバーは、屈曲及び伸縮可能な部材からなる蛇腹を有し、
前記方向制御機構部は、前記スピーカに対して前記放音口の方向を任意に変化させ、
前記第１の状態で前記蛇腹を収納して前記放音口に前記スピーカの放音部が露出するように設定し、前記第２の状態で前記蛇腹を展開して前記スピーカの放音部を覆うとともに、前記放音口を任意の方向に向くように設定することを特徴とする［１０］に記載の音響制御装置。
【００８６】
［１２］
［１］乃至［１１］のいずれかに記載の音響制御装置と、
音高を指定する演奏操作子が配列された鍵盤ユニットと、
前記演奏操作子により指定された音高に基づく楽音を発するスピーカと、
を備え、
前記音響制御装置は、前記スピーカから発せられる前記楽音を、第１の方向に拡散するように放出する第１の状態と、前記第１の方向とは異なる第２の方向に指向性を有して放出する第２の状態と、に切替え設定することを特徴とする電子楽器。
【符号の説明】
【００８７】
１００    電子楽器
１１０    本体ケース
１２０    鍵盤ユニット
１３０    スピーカ
１４０    スピーカパネル
１４２    ヒンジ部（カバー角度制御機構部、貫通孔連動機構部、第１のヒンジ部）
１４８    開口部
１５０    スピーカカバー
１５４    カバー部材（カバー角度制御機構部、貫通孔連動機構部、第１のカバー部材）
１５４Ｇ  ガイド溝（貫通孔制御機構部）
１５４Ｓ  スリット（貫通孔、第１の貫通孔）
１５６    スリット部材（貫通孔連動機構部、第２のカバー部材）
１５６Ｓ  スリット（貫通孔制御機構部、第２の貫通孔）
１６０    センタパネル
１７０    スピーカカバー
１７４    上側カバー部材（貫通孔制御機構部、第１のカバー部材）
１７４Ｓ  スリット（貫通孔、第１の貫通孔）
１７６    下側カバー部材（貫通孔制御機構部、第２のカバー部材）
１７６Ｈ  開口部
１７６Ｓ  スリット（第２の貫通孔）
１８０    スピーカカバー
１８２    カバーフレーム（放音口、方向制御機構部）
１８４    パネル取付部
１８６    蛇腹（方向制御機構部）
１８８    ヒンジ部（方向制御機構部）
【図１】
2019161501.tif 000003
【図２】
2019161501.tif 000004
【図３】
2019161501.tif 000005
【図４】
2019161501.tif 000006
【図５】
2019161501.tif 000007
【図６】
2019161501.tif 000008
【図７】
2019161501.tif 000009
【図８】
2019161501.tif 000010
【図９】
2019161501.tif 000011
【図１０】
2019161501.tif 000012
【図１１】
2019161501.tif 000013
【図１２】
2019161501.tif 000014
【図１３】
2019161501.tif 000015
【図１４】
2019161501.tif 000016